(57)【特許請求の範囲】
【請求項１】
方形状の底板と、該底板の対向する二辺に位置する一対の側板と、両側板の対向する側縁にそれぞれ回動可能に連結され、かつ、中央部上下方向の連結部にて内側へ折曲可能に連結された一対の折畳み側板とを備え、一方の側板の底部に前記底板を回動可能に連結した折畳みコンテナにおいて、他方の側板あるいは折畳み側板の内面に縦溝を設け、前記底板の周縁部に前記縦溝に対応する係合突片を設けるとともに、前記縦溝の開口部に、所定位置に回動した底板の係合突片の上面に係合可能で、かつ、縦溝内部に回動したときに係合突片との係合が解除可能なロック部材を回動可能に設けたことを特徴とする折畳みコンテナにおける底板固定構造。
【請求項２】
前記一方の側板の上部に蓋体を回動可能に設けるとともに、該蓋体の周縁部に前記縦溝内に進入可能で、かつ、縦溝内へ進入したときに前記ロック部材の縦溝内部方向への回動を規制する突片を設けたことを特徴とする請求項１記載の折畳みコンテナにおける底板固定構造。
【請求項３】
方形状の底板と、該底板の対向する二辺に位置する一対の側板と、両側板の対向する側縁にそれぞれ回動可能に連結され、かつ、中央部上下方向の連結部にて内側へ折曲可能に連結された一対の折畳み側板とを備え、一方の側板の底部に前記底板を回動可能に連結した折畳みコンテナにおいて、他方の側板あるいは折畳み側板に設けられた上下方向のガイド溝に、外方に弾性変形可能なロック部材を上下動可能に設けるとともに、該ロック部材の下部に対応する側板の下部に、ロック部材の外方への変形を許容するための逃げ溝２６を設け、前記底板の周縁部に前記ロック部材に対応する係合突片を設け、該係合突片の上面に、前記ロック部材の下端が嵌入可能な係合溝を設けたことを特徴とする折畳みコンテナにおける底板固定構造。
【請求項４】
方形状の底板と、該底板の対向する二辺に位置する一対の側板と、両側板の対向する側縁にそれぞれ回動可能に連結され、かつ、中央部上下方向の連結部にて内側へ折曲可能に連結された一対の折畳み側板とを備え、一方の側板の底部に前記底板を回動可能に連結した折畳みコンテナにおいて、前記底板の周縁部に他方の側板あるいは折畳み側板方向に突出する係合突片を突設し、他方の側板あるいは折畳み側板の内面下部に前記係合突片に係合可能な係合リブを設けるとともに、前記係合突片の近傍に、底板に沿う操作部と側板の内面に沿うロック解除部とを有し、前記操作部を上方に引上げたときに前記ロック解除部が側板内面方向に回動し、その上端が側板内面に摺接して側板を外方に押圧し、係合突片と側板とを相対的に離間させて前記係合突片と係合リブとの係合状態を解除するロック解除部材を回動可能に設けたことを特徴とする折畳みコンテナにおける底板固定構造。
【発明の詳細な説明】
【０００１】
【発明の属する技術分野】
本発明は、折畳みコンテナにおける底板固定構造に関し、詳しくは、底板が一方の側板に回動可能、即ち折畳み可能に設けられている折畳みコンテナにおいて、コンテナ組立て状態での使用時に底板が回動しないように固定するための構造に関する。
【０００２】
【従来の技術】
従来から、種々の折畳みコンテナが知られているが、その一つとして、方形状の底板と、該底板の対向する二辺に位置する一対の側板と、両側板の対向する側縁にそれぞれ回動可能に連結され、かつ、中央部上下方向の連結部にて内側へ折曲可能に連結された一対の折畳み側板とを備え、一方の側板の底部に前記底板を回動可能に連結したものや、この折畳みコンテナに蓋体を設けたものが知られている。
【０００３】
この折畳みコンテナは、底板を一方の側板方向に回動させて起こした後、折畳み側板をそれぞれ内側に折曲げることによって折畳むことができ、また、折畳み側板の連結部を伸ばした後、底板を回動させて寝かせた状態にすることで箱型に組立てることができる。
【０００４】
【発明が解決しようとする課題】
しかし、このような折畳みコンテナは、組立てた状態で底板の下方から力が加わると、底板が立ち上がってしまい、収納している物品が破損したり、さらに、下方から加わった力の勢いで折畳み側板までが折曲げられ、コンテナが折畳まれてしまうこともあった。
【０００５】
このため、組立て状態における底板を機械的にロックすることも行われているが、従来のロック機構は、組立て時のロック操作が面倒で組立てに手間が掛かったり、また、折畳む際にも、ロックを解除して底板を立ち上げるためにコンテナを傾けたり、逆さにしたりしなければならず、非常に面倒であった。
【０００６】
そこで本発明は、コンテナ組立て時には底板を簡単にロックすることができ、内容物を確実に保護できるとともに、折畳み時のロック解除も容易に行うことができる折畳みコンテナにおける底板固定構造を提供することを目的としている。
【０００７】
【課題を解決するための手段】
上記目的を達成するため、本発明の折畳みコンテナにおける底板固定構造の第１の態様は、方形状の底板と、該底板の対向する二辺に位置する一対の側板と、両側板の対向する側縁にそれぞれ回動可能に連結され、かつ、中央部上下方向の連結部にて内側へ折曲可能に連結された一対の折畳み側板とを備え、一方の側板の底部に前記底板を回動可能に連結した折畳みコンテナにおいて、他方の側板あるいは折畳み側板の内面に縦溝を設け、前記底板の周縁部に前記縦溝に対応する係合突片を設けるとともに、前記縦溝の開口部に、所定位置に回動した底板の係合突片の上面に係合可能で、かつ、縦溝内部に回動したときに係合突片との係合が解除可能なロック部材を回動可能に設けたことを特徴とするものである。
【０００８】
また、上記第１の態様において、前記一方の側板の上部に蓋体を回動可能に設けるとともに、蓋体の周縁部に前記縦溝内に進入可能で、かつ、縦溝内へ進入したときに前記ロック部材の縦溝内部方向への回動を規制する突片を設けたことを特徴としている。
【０００９】
さらに、第２の態様は、他方の側板あるいは折畳み側板に設けられた上下方向のガイド溝に、外方に弾性変形可能なロック部材を上下動可能に設けるとともに、該ロック部材の下部に対応する側板の下部に、ロック部材の外方への変形を許容するための逃げ溝２６を設け、前記底板の周縁部に前記ロック部材に対応する係合突片を設け、該係合突片の上面に、前記ロック部材の下端が嵌入可能な係合溝を設けたことを特徴としている。
【００１０】
また、第３の態様は、底板の周縁部に側板方向に突出する係合突片を突設し、側板の内面下部に前記係合突片に係合可能な係合リブを設けるとともに、前記係合突片の近傍に、底板に沿う操作部と側板の内面に沿うロック解除部とを有し、前記操作部を上方に引上げたときに前記ロック解除部が側板内面方向に回動し、その上端が側板内面に摺接して側板を外方に押圧し、係合突片と側板とを相対的に離間させて前記係合突片と係合リブとの係合状態を解除するロック解除部材を回動可能に設けたことを特徴としている。
【００１１】
【発明の実施の形態】
以下、本発明を、図面を参照してさらに詳細に説明する。図１乃至図５は、本発明の折畳みコンテナにおける底板固定構造の第１形態例を示すもので、図１は要部の斜視図、図２は同じく断面平面図、図３は断面側面図、図４は組立て途中の状態を示す平面図、図５は蓋体を開いた状態を示す斜視図である。図６乃至図８は本発明の第２形態例を示すもので、図６は要部の斜視図、図７は組立て途中の状態を示す断面側面図、図７は組立状態の断面側面図である。図９乃至図１３は本発明の第３形態例を示すもので、図９は図１０のIX−IX線断面図、図１０は要部の平面図、図１１は図１０のXI−XI線断面図、図１２及び図１３はロック解除状態を示すもので、図１２は図１０のIX−IX線断面に対応する断面図、図１３は図１０のXI−XI線断面に対応する断面図である。
【００１２】
まず、図３乃至図６に示すように、この折畳みコンテナは、方形状の底板１と、該底板１の対向する二辺に位置する一対の側板２，３と、両側板２，３の対向する側縁にそれぞれ回動可能に連結され、かつ、中央部上下方向の連結部４にて内側へ折曲可能に連結された一対の折畳み側板５，６と、一方の側板２の上部に回動可能に設けられた蓋体７とからなるもので、前記底板１は、一方の側板２の底部に、該側板２の内面に沿う起立位置とコンテナにおける底板として機能する組立位置とにまで回動可能に設けられており、前記蓋体７は、側板２の外面に沿う収納位置とコンテナにおける蓋体として機能する組立位置とにまで回動可能に設けられている。
【００１３】
このような折畳みコンテナにおいて、本形態例では、図１及び図２に拡大して示すように、組立て時に底板１をコンテナ底部に固定する構造として、底板１の回動端側の側板３の内面に縦溝８を設け、前記底板１の回動端側周縁部に前記縦溝８に対応する係合突片９を設けるとともに、前記縦溝８の開口部に、所定位置に回動した係合突片９の上面に係合可能で、かつ、縦溝内部に回動したときに係合突片９との係合が解除可能なロック部材１０を回動可能に設けている。
【００１４】
上記折畳みコンテナは、組立て状態から、蓋体７を一方の側板２の外面に沿う収納位置まで回動させ、底板１を一方の側板２の内面に沿う起立位置に回動させた後、両折畳み側板５，６の連結部４を内側へ折曲げることにより折畳むことができ、逆に、両折畳み側板５，６を一直線状に伸ばした後、底板１を他方の側板３の底部方向に回動させ、蓋体７で各側板上部を閉塞することにより組立てることができ、蓋体７を開くことによりコンテナ内の品物の出し入れを行うことができる。
【００１５】
この組立て状態においては、底板１の両側縁が両折畳み側板５，６の内面に接することにより折畳み側板５，６が内側に折曲がることを防止する。また、底板１の両側縁の形状を、回動端側が狭くなるように僅かな台形状に形成しておくことにより、組立て，折畳み時の底板１と折畳み側板５，６との接触力を弱くすることができるので、組立て，折畳みを軽い力で行うことができる。
【００１６】
上記コンテナの組立て時に底板１を回動させて係合突片９が縦溝８部分に至ると、図２に示すように、係合突片９が両ロック部材１０を押し開いて縦溝８内に進入しながら所定位置まで回動する。そして、所定位置まで底板１を回動させた後、両ロック部材１０を、図１に示すように、側板３の内面と面一になるまで戻すことにより、ロック部材１０の下端面と係合突片９の上面とを係合状態にすることができ、底板１を所定位置にロックすることができる。また、コンテナを折畳む際には、両ロック部材１０を指先等で縦溝８内に回動させることにより底板１のロック状態を解除することができ、底板１を簡単に回動させることができる。
【００１７】
さらに、蓋体７の先端周縁部に、縦溝８内に進入可能で、かつ、縦溝８内へ進入したときに前記ロック部材１０の縦溝内部方向への回動を規制する突片１１を設けておき、蓋体７を閉じた際に突片１１をロック部材１０の背面側の縦溝８内に挿入することにより、蓋体７を閉じた状態でロック部材１０が縦溝８内方向に回動することを防止でき、底板１のロック状態を確実に保つことができる。
【００１８】
なお、係合突片９の形状は、ロック部材１０の回動時の位置や組立て時にロック部材１０を押し開くことなどから、先端が狭くなった台形状や円弧状に形成することが好ましい。同様に、蓋体７の突片１１も、先端側を狭くしたり薄くしたりすることにより、縦溝８内への挿入を容易に行うことができる。また、ロック部材１０は、縦溝８の開口部両側に設けることなく、一方のみとしてもよく、ロック部材１０をロック位置方向に付勢するスプリングを設けることもできる。
【００１９】
次に、図６乃至図８に示す底板１の固定構造は、底板１の回動端側の側板３に上下動可能かつ外方に弾性変形可能に設けられたロック部材２１と、底板１の回動端に前記ロック部材２１に対応して設けられた係合突片２２とにより形成されている。
【００２０】
なお、以下の説明において、他のコンテナ本体部の構成は、前記第１形態例と同様に形成できるので、その詳細な説明は省略する。
【００２１】
ロック部材２１は、側板３に設けられた上下方向のガイド溝２３によりガイドされて上下動するもので、上下方向中間部両側には抜止めとなる凹凸部２４が設けられており、上昇時には、その上端が側板３の上端に設けたガイド枠３ａ上面から僅かに突出する長さに形成されている。また、このロック部材２１は、僅かな弾性変形を許容する可撓性の樹脂材料により下端部が先狭状に形成されており、下端部近傍には、ロック解除時の手掛かりとなる操作孔２５が設けられている。さらに、ロック部材２１の下部に対応する側板３の下部には、ロック部材２１の外方への変形を許容するための逃げ溝２６が設けられている。
【００２２】
一方、底板１に設けられた係合突片２２は、ロック部材２１の幅寸法と同一か僅かに狭い幅に形成されており、その上面には、ロック部材２１の下端先端部が嵌入可能な係合溝２７が設けられている。
【００２３】
この固定構造によれば、コンテナの組立て時に底板１が回動して係合突片２２がロック部材２１の内面に接触すると、図７に示すように、係合突片２２がロック部材２１の下端部を外方に変形させて通過し、底板１が所定位置まで回動すると、係合突片２２とロック部材２１との摺接状態が解除され、ロック部材２１が弾性により復帰してロック部材２１の下端先端部が、所定位置に回動した底板１の係合溝２７の上方に位置する状態になる。そして、この状態でロック部材２１を押し下げることにより、ロック部材２１の下端先端部が係合溝２７内に嵌入した状態となり、ロック部材２１により底板１が所定位置に固定された状態になる。特に、係合突片２２に係合溝２７を設けたことにより、ロック部材２１の下端先端部を平面に当接させる場合に比べて、より確実なロック状態を得ることができる。
【００２４】
さらに、図８に示すように、蓋体７でロック部材２１の上端部を覆ってロック部材２１の上昇を防止することにより、ロック部材２１を確実にロック位置に保持することができる。
【００２５】
コンテナを折り畳む際には、操作孔２５を利用してロック部材２１を上昇させるとともに、ロック部材２１の下端部を外方に押して係合突片２２が通過可能な位置まで変形させることにより行うことができる。
【００２６】
次に、図９乃至図１３に示す底板１の固定構造は、底板１の周縁部と側板３の下部とに互いに係合して底板１を固定するロック部を設けるとともに、該ロック部の係合状態を解除する解除レバーを設けたものである。
【００２７】
前記ロック部は、底板１の周縁部から側板３の方向に突出する係合突片３１と、側板３の内面下部に突設した係合リブ３２とからなるもので、係合突片３１は、下面を先端が上昇する斜面とした先狭形状に形成されている。
【００２８】
一方の解除レバー３３は、底板１に沿う操作部３４と、該操作部３４の側板３側端部から側板３の内面に沿って立上がる先端が円弧状のロック解除部３５とからなる略Ｌ字状の部材であって、操作部３４とロック解除部３５との屈曲部が、前記係合突片３１の両側近傍に設けた軸受部３６の回動軸３７に軸着されて回動可能に形成されている。この回動軸３７は、軸中心が係合突片３１の係合部と略同じ高さになるように設定されている。
【００２９】
また、底板１には、解除レバー３３を底面と面一状態で収納可能な凹部３８が設けられており、解除レバー３３の中央部には、操作孔３９が設けられている。さらに、側板３には、ロック解除時にロック解除部３５の上端が摺接する傾斜リブ４０が設けられている。
【００３０】
このような底板固定構造を有するコンテナを組立てる際には、底板１を回動させて寝かせていくと、係合突片３１の下部斜面が側板３の係合リブ３２の先端に摺接して側板３や底板１の先端部を弾性変形させて通過し、底板１が所定位置まで回動すると、弾性により元の形状に復帰し、係合突片３１の上面が係合リブ３２の下面に当接して係合した状態になり、底板１が所定位置に固定される。このとき、解除レバー３３は、凹部３８に収納された状態になっており、ロック解除部３５は、回動軸３７から近い位置にある側面が傾斜リブ４０に対向した位置になっている。
【００３１】
一方、解除レバー３３の操作孔３９に指先等を挿入して解除レバー３３の操作部３４を上方に引上げると、ロック解除部３５が回動軸３７を中心として側板３方向に回動し、回動軸３７から遠い位置にある上端の円弧部が側板内面の傾斜リブ４０に摺接し、回動軸３６からの距離によって側板３を外側に押圧し、相対的に係合突片３１と係合リブ３２とを離間させて両者の係合状態を解除し、さらに解除レバー３３を引上げることにより、底板１自体が回動して立上がってくる。
【００３２】
したがって、本形態例によれば、組立て時には、底板１の回動端を下方に押込むだけで底板１を自動的にロック状態として所定位置に固定することができ、折畳み時には、解除レバー３３を引上げるだけでロックを解除して底板１を立上げることができる。さらに、側板３の内面に傾斜リブ４０を設けたことにより、ロック解除を円滑に行えるとともに、その部分の補強も図れる。
【００３３】
なお、各形態例に示す底板の固定構造は、通常は、底板回動端の中央部のみに設ければ十分であるが、コンテナの大きさなどに応じて複数箇所に設けるようにしてもよい。また、底板側縁と折畳み側板との間に固定構造を設けることもでき、第１，第２形態例のように底板周縁から係合突片が突出している場合は、係合突片の通過位置に適当なガイド溝等を併設すればよい。
【００３４】
【発明の効果】
以上説明したように、本発明によれば、コンテナの組立て時に手間を掛けることなく底板をロックして固定することができ、底板が不容易に回動して内容物が破損したり、コンテナが折畳まれることを防止でき、内容物の保護が図れる。また、折畳み時も、簡単にロックを解除して底板を回動させることができる。
【図面の簡単な説明】
【図１】  本発明の第１形態例を示す要部の斜視図である。
【図２】  同じく断面平面図である。
【図３】  同じく断面側面図である。
【図４】  同じく組立て途中の状態を示す平面図である。
【図５】  同じく蓋体を開いた状態を示す斜視図である。
【図６】  本発明の第２形態例を示す要部の斜視図である。
【図７】  同じく組立て途中の状態を示す断面側面図である。
【図８】  同じく組立状態の断面側面図である。
【図９】  図１０のIX−IX線断面図である。
【図１０】  本発明の第３形態例を示す要部の平面図である。
【図１１】  図１０のXI−XI線断面図である。
【図１２】  ロック解除状態を示す断面図である。
【図１３】  同じくロック解除状態を示す断面図である。
【符号の説明】
１…底板、２，３…側板、４…連結部、５，６…折畳み側板、７…蓋体、８…縦溝、９…係合突片、１０…ロック部材、１１…突片、２１…ロック部材、２２…係合突片、２３…ガイド溝、２４…凹凸部、２５…操作孔、２６…逃げ溝、２７…係合溝、３１…係合突片、３２…係合リブ、３３…解除レバー、３４…操作部、３５…ロック解除部、３６…軸受部、３７…回動軸、３８…凹部、３９…操作孔、４０…傾斜リブ
【図１】
0003693419.tif 000002
【図２】
0003693419.tif 000003
【図３】
0003693419.tif 000004
【図４】
0003693419.tif 000005
【図５】
0003693419.tif 000006
【図６】
0003693419.tif 000007
【図７】
0003693419.tif 000008
【図８】
0003693419.tif 000009
【図９】
0003693419.tif 000010
【図１０】
0003693419.tif 000011
【図１１】
0003693419.tif 000012
【図１２】
0003693419.tif 000013
【図１３】
0003693419.tif 000014